(57)【要約】【課題】あらゆる大きさのカップに利用できるとともに、カップへの取り付け及び取り外しを特段の熟練を要さず円滑に行うことができ、さらに、カップに液体を満たしても安定して保持でき、特には取付後のカップが脱落する危険がないカップホルダと、このカップホルダを備えたカップを提供する。【解決手段】フランジ部を有するカップに取り付けるホルダであって、内側垂片と外側垂片とを連結部で連結して、前記連結部の下方に前記カップのフランジ部を収納する収納空間を形成したフランジ収納部と、このフランジ収納部の内側垂片と外側垂片の少なくとも一方に設けた挿通孔に挿通して前記カップのフランジ部を係止するための挿通ピンと、前記フランジ部の下方外壁に接触する外壁接触部と、把持部とを備えることを特徴とする。【選択図】　図１
2004121339.tif 000002
【特許請求の範囲】
【請求項１】
フランジ部を有するカップに取り付けるホルダであって、内側垂片と外側垂片とを連結部で連結して、前記連結部の下方に前記カップのフランジ部を収納する収納空間を形成したフランジ収納部と、このフランジ収納部の内側垂片と外側垂片の少なくとも一方に設けた挿通孔に挿通して前記カップのフランジ部を係止するための挿通ピンと、前記フランジ部の下方外壁に接触する外壁接触部と、把持部とを備えることを特徴とするカップホルダ。
【請求項２】
前記挿通ピンは、ヒンジ部を介して前記フランジ収納部に連結される揺動片に設けられることを特徴とする請求項１記載のカップホルダ。
【請求項３】
前記外壁接触部と、前記把持部とは、それぞれ直接に前記フランジ収納部に連結されるか、何れか一方が前記フランジ収納部に連結され、他方がこの直接連結された一方に連結されるものであることを特徴とする請求項２記載のカップホルダ。
【請求項４】
前記挿通ピンの先端は、膨出された形状に形成され、前記内側垂片又は外側垂片に設けられた挿通孔に挿通されるとともに係合されることを特徴とする請求項１乃至３の何れかに記載のカップホルダ。
【請求項５】
前記挿通ピンは、支持部と、この支持部に連続する基端部と、前記基端部からテーパ部を介して連続して鋭角に形成された先端部とを備え、前記支持部は前記挿通孔よりも小径にされるとともに、前記基端部は、前記挿通孔の出口側開口の口径よりも大径にされてなることを特徴とする請求項４記載のカップホルダ。
【請求項６】
前記挿通孔には、前記挿通ピンの挿通方向に向けて徐々に小径となるようにテーパ面が形成され、前記挿通孔の出口側開口の口径が前記挿通ピンの支持部外径よりも大径にされてなることを特徴とする請求項５記載のカップホルダ。
【請求項７】
前記挿通孔を備えない側の前記内側垂片又は外側垂片に、前記挿通孔に挿通した挿通ピンの先端部が当たる位置において凹部が形成され、該凹部には前記挿通ピンの先端部のテーパに倣うテーパ面が形成されてなることを特徴とする請求項１乃至６の何れかに記載のカップホルダ。
【請求項８】
前記挿通孔を備えない側の前記内側垂片又は外側垂片には、前記フランジ部を係止する係止部が備えられていることを特徴とする請求項１乃至７の何れかに記載のカップホルダ。
【請求項９】
硬質樹脂で形成されてなることを特徴とする請求項１乃至８の何れかに記載のカップホルダ。
【請求項１０】
前記請求項１乃至９の何れかに記載のカップホルダを取り付けられたことを特徴とするカップ。
【発明の詳細な説明】
【０００１】
【発明の属する技術分野】
本発明は、カップに取り付けるカップホルダとカップに関し、特に、カップに対して着脱自在にされてなるカップホルダの改良に関するものである。
【０００２】
【従来の技術】
従来より、紙製やプラスチック製等のカップのように把手のないカップを持ちやすくするために、ホルダを取り付けることが知られている。
このホルダとして、図３（ａ）及び（ｂ）に示すカップホルダが提案されている（特許文献１参照）。
図３（ａ）及び（ｂ）に示すカップホルダは、周壁１０３が開口側が大径のテーパ状に形成され、上端は外側に巻かれてカーリング状にフランジ部１０４が形成されたカップ１０１に適用され、カップホルダ１０５は、全体として正面略Ｄ字状に形成されており、カップ１０１の内壁１０３Ａに当接する当接部１０６と、この当接部１０６に連続して形成される把手部１０８と、この把手部１０８に連続して形成され、カップ１０１の外壁１０３Ｂに接触する接触部１０９と、この接触部１０９に連続し、かつ、カップ１０１の外側の方向に膨らんだ円弧状に形成されるとともに、フランジ部１０４下側の外壁１０３Ｂに当接してフランジ部１０４を係止する係止部１１３を先端に有する弾性部１１４と、この弾性部１１４と当接部１０６との間に形成される収納溝１１５と、この収納溝１１５に連続して形成され、かつ、フランジ部１０４を収納する収納部１１０とで構成され、係止部１１３は、フランジ部１０４の下面に当接する面１１３Ａおよび外壁１０３Ｂに当接する面１１３Ｂの交差角が鋭角に形成されている。
【０００３】
この図３（ａ）及び（ｂ）に示すカップホルダ１０５によれば、カップ１０１のフランジ部１０４を係止部１１３で係止し、カップ１０１の周壁１０３をカップホルダ１０５の当接部１０６および係止部１１３を有する弾性部１１４で狭持し、かつ、カップ１０１の外壁１０３Ｂを接触部１０９で支えることによりホルダ１０５をカップ１０１に取り付ける。
しかし、上述の図３（ａ）及び（ｂ）に示すカップホルダ１０５では、カップ１０１の大きさ（カップ１０１の直径や高さ等）に関係なくホルダ１０５を強固に取り付けることができ、液体を満たしても安定して保持できるものとはされているが、現実にはカップ１０１の外壁１０３Ｂを接触部１０９で支えて保持する確実性は充分ではなく、熱い飲料をカップ１０１に満たした状態でカップホルダ１０５からカップ１０１が脱落するという危険があった。また、カップ１０１に対するカップホルダ１０５の取付も常に円滑に行い得るわけではなく、その着脱を円滑に行うためにはある程度の熟練が必要とされるという問題点があった。
【０００４】
【特許文献１】
特公平５−１１９７６号（特許請求の範囲）
【０００５】
【発明の解決すべき課題】
そこで、本発明は、あらゆる大きさのカップに利用できるとともに、カップへの取り付け及び取り外しを特段の熟練を要さず円滑に行うことができ、さらに、カップに液体を満たしても安定して保持でき、特には取付後のカップが脱落する危険がないカップホルダと、このカップホルダを備えたカップを提供することを目的とする。
【０００６】
【課題を解決するための手段】
前記課題を解決するための本発明のカップホルダは、請求項１記載の通り、フランジ部を有するカップに取り付けるホルダであって、内側垂片と外側垂片とを連結部で連結して、前記連結部の下方に前記カップのフランジ部を収納する収納空間を形成したフランジ収納部と、このフランジ収納部の内側垂片と外側垂片の少なくとも一方に設けた挿通孔に挿通して前記カップのフランジ部を係止するための挿通ピンと、前記フランジ部の下方外壁に接触する外壁接触部と、把持部とを備えることを特徴とする。
また、請求項２記載のカップホルダは、請求項１記載のカップホルダにおいて、前記挿通ピンは、ヒンジ部を介して前記フランジ収納部に連結される揺動片に設けられることを特徴とする。
また、請求項３記載のカップホルダは、請求項２記載のカップホルダにおいて、前記外壁接触部と、前記把持部とは、それぞれ直接に前記フランジ収納部に連結されるか、何れか一方が前記フランジ収納部に連結され、他方がこの直接連結された一方に連結されるものであることを特徴とする。
また、項求項４記載のカップホルダは、請求項１乃至３の何れかに記載のカップホルダにおいて、前記挿通ピンの先端は、膨出された形状に形成され、前記内側垂片又は外側垂片に設けられた挿通孔に挿通されるとともに係合されることを特徴とする。
また、請求項５記載のカップホルダは、請求項４記載のカップホルダにおいて、前記挿通ピンは、支持部と、この支持部に連続する基端部と、前記基端部からテーパ部を介して連続して鋭角に形成された先端部とを備え、前記支持部は前記挿通孔よりも小径にされるとともに、前記基端部は、前記挿通孔の出口側開口の口径よりも大径にされてなることを特徴とする。
また、請求項６記載のカップホルダは、請求項５記載のカップホルダにおいて、前記挿通孔には、前記挿通ピンの挿通方向に向けて徐々に小径となるようにテーパ面が形成され、前記挿通孔の出口側開口の口径が前記挿通ピンの支持部外径よりも大径にされてなることを特徴とする。
また、請求項７記載のカップホルダは、請求項１乃至６の何れかに記載のカップホルダにおいて、前記挿通孔を備えない側の前記内側垂片又は外側垂片に、前記挿通孔に挿通した挿通ピンの先端部が当たる位置において凹部が形成され、該凹部には前記挿通ピンの先端部のテーパに倣うテーパ面が形成されてなることを特徴とする。
また、請求項８記載のカップホルダは、請求項１乃至７の何れかに記載のカップホルダにおいて、前記挿通孔を備えない側の前記内側垂片又は外側垂片には、前記フランジ部を係止する係止部が備えられていることを特徴とする。
また、請求項９記載のカップホルダは、請求項１乃至８の何れかに記載のカップホルダにおいて、硬質樹脂で形成されてなることを特徴とする。
また、本発明のカップは、請求項１０記載の通り、前記請求項１乃至９の何れかに記載のカップホルダを取り付けられたことを特徴とする。
【０００７】
かかる本発明のカップホルダによれば、カップホルダをカップに取り付けるには、カップホルダのフランジ収納部の収納空間にカップのフランジ部を収納した状態に位置合わせし、この状態で、挿通ピンをフランジ収納部の、内側垂片と外側垂片の少なくとも一方に設けた挿通孔に挿通させ、この挿通ピンによって、前記収納空間に収納されたカップのフランジ部を係止する。
特に、カップ内に水等の液体内容物を入れ、カップの重量が増えると、挿通ピンと挿通孔との接触が強まり、挿通ピンが挿通孔から抜けにくくなり、前記フランジ収納部の収容空間でのカップのフフランジ部の係合が確実となり、カップは落ちにくくなる。
また、前記挿通ピンを、ヒンジ部を介して前記フランジ収納部に連結される揺動片に設けた場合、挿通ピンを別個に用意するのに比して、挿通ピンの紛失の畏れもなく、また、製造も容易となる。
また、前記外壁接触部と、前記把持部とを、それぞれ直接に前記フランジ収納部に連結するか、何れか一方を前記フランジ収納部に連結し、他方をこの直接連結された一方に連結するようにすれば、カップホルダを一体に形成でき、製造も容易となり、製造費用を下げることができる。
また、前記挿通ピンの先端を、膨出された形状に形成し、前記内側垂片又は外側垂片に設けられた挿通孔に挿通するとともに係合するようにすれば、挿通ピンの挿通孔からの抜けをより確実に防止できる。
また、前記挿通ピンを、支持部と、この支持部に連続する基端部と、前記基端部からテーパ部を介して連続して鋭角に形成された先端部とで構成し、前記支持部を前記挿通孔よりも小径にするとともに、前記基端部を、前記挿通孔の出口側開口の口径よりも大径にすれば、挿通ピンの挿通孔への挿通が容易に行え、しかも、挿通ピンの挿通孔からの抜けを防止することができる。
また、前記挿通孔に、前記挿通ピンの挿通方向に向けて徐々に小径となるようなテーパ面を形成し、前記挿通孔の出口側開口の口径を前記挿通ピンの支持部外径よりも大径にすれば、更に、挿通ピンの挿通孔への挿通が容易に行え、しかも、挿通ピンの挿通孔からの抜けを確実に防止することができる。
また、前記挿通孔を備えない側の前記内側垂片又は外側垂片に、前記挿通孔に挿通した挿通ピンの先端部が当たる位置において凹部を形成し、該凹部には前記挿通ピンの先端部のテーパに倣うテーパ面を形成すれば、前記挿通ピンの先端と、前記凹部のテーパ面との密接により、挿通ピンによるコップ周壁の保持が確実となる。
また、前記挿通孔を備えない側の前記内側垂片又は外側垂片に、前記フランジ部を係止する係止部を備えた場合、この係止部によって、カップのフランジ部の係止が確実となる。
また、前記カップホルダを硬質樹脂で形成すると、挿通ピンの所定位置への挿通、そして、カップホルダの正しい取り付けが、パチッという接触音で確認できる。
また、前記カップホルダによれば、フランジ部を備えたカップであれば、カップの形状、大きさ等に関係なく、外れにくい把持部を備えたカップを簡単に得ることができる。
【０００８】
【発明の実施の形態】
以下、本発明の実施の形態を図面を参照して説明する。
図１（ａ）、（ｂ）には、カーリング状に形成されたフランジ部を有するカップに本発明を適用した第一の実施の形態が示されている。
図１（ａ）に示したように、カップ１は、底２と周壁３とで構成される。この周壁３には開口側の大径のテーパ状に形成され、上端にはフランジ部４が形成されている。
【０００９】
カップホルダ５は、カップ１のフランジ部４を収納する収容空間６ｄを備えたフランジ収納部６と、このフランジ収納部６に一端が連結されて、カップ１の外壁３Ｂに接触するようにした外壁接触部７と、前記フランジ収納部６に一端が連結され、他端が前記外壁接触部７の他端と連結された把持部８とからなり、これら外壁接触部７と把持部８とは正面略Ｄ字状に連続している。
【００１０】
前記フランジ収納部６は、カップ１の内壁３Ａ側に位置する内側垂片６ａと、カップ１の外壁３Ｂ側に位置する外側垂片６ｂと、これらを連結する連結片６ｃとからなり、この連結片６ｃの下方に形成される収納空間６ｄに、カップ１のフランジ部４を収納できるようになっている。
また、前記フランジ収納部６には、ヒンジ部６ｅを介して、揺動片６ｆが連設され、この揺動片６ｆに挿通ピン１０が設けられている。この挿通ピン１０は、ヒンジ部６ｅによる揺動片６ｆの揺動によって前記外側垂片６ｂに設けられた挿通孔１１に挿通自在とされ、この挿通ピン１０の先端１０Ａはカップ１のフランジ部４の下側の外壁３Ｂに当接させて、前記内側垂片６ａと、挿通ピン１０によって、カップ１の周壁３をしっかりと狭持することにより、前記フランジ収納部６の収納空間６ｄに収納されるカップ１のフランジ部４との係合関係を確実に保てるようにしている。
また、前記挿通ピン１０の先端部１０Ａには半球状の膨出部が形成され、この膨出部の外側曲面の上面側をフランジ部４の下面に当接させるようにしたため、この膨出部の外側曲面の上面側と、連結片６ｃの下面側とで、前記カップ１のフランジ部４をしっかりと狭持でき、前記収納空間６ｄと、ここに収納されるカップ１のフランジ部４との係合関係をより確実に保てるようにしている。
【００１１】
また、前記内側垂片６ａの、前記挿通孔１１に挿通された挿通ピン１０と略対向する位置に、前記カップ１の内壁３Ａ側に突出させて係止部６Ａが設けられ、この係止部６Ａの内壁３Ａへの当接によって、この内側垂片６ａと、挿通ピン１０によるカップ１の周壁３の狭持をより確実にしている。
前記のように各構成要素が一体に形成されたカップホルダ５は、ポリプロピレンのような弾性的性質を有する樹脂や、ポリスチレンのような硬質な性質を有する樹脂を原料として射出成形により簡単に製造できる。
【００１２】
このような構成の本実施の形態において、カップホルダ５をカップ１に取り付けるには、先ず、カップホルダ５のフランジ収納部６に形成される収納空間６ｄにカップ１のフランジ部４が収まるようにカップホルダ５の位置合わせを行う。この時、収納空間６ｄには挿通ピン１０が存在しないため、大きな空間として空けられており、簡単に位置合わせをすることができる。
この状態で、次に、ヒンジ部６ｅを介してフランジ収納部６に連結されている揺動片６ｆを揺動させて挿通ピン１０をその先端１０Ａ側から外側垂片６ｂに設けられた挿通孔１１に挿通し、挿通ピン１０の先端１０Ａに設けられている膨出部を外壁３Ｂとフランジ部４の下面に当接させる迄押し込む。これにより、膨出部をフランジ部４の下面に当接させた状態で、挿通ピン１０の先端１０Ａと、内側垂片６ａによって周壁３を狭持した状態で、前記フランジ部４を収容空間６ｄにおいて係合した状態に保つことができる。その際、挿通ピン１０の膨出部は、内側垂片６ａの係止部６Ａとの間でカップ１の周壁３を狭持することとなるので、カップホルダ５によるカップ１の保持はより確実なものとなっている。
【００１３】
尚、本実施の形態では、前記挿通孔１１の内径φ１と、挿通ピン１０の外径φ２とを同径、若しくは、若干挿通ピン１０の外径φ２を挿通孔１１の内径φ１よりも大径となるようにされており、その結果、挿通ピン１０を挿通孔１１に挿通させた後、ヒンジ部６ｅの弾性、その他の、不意の要因で挿通ピン１０が挿通孔１１から離脱することはなく、挿通ピン１０は、挿通孔１１内に確実に保持される。
【００１４】
一方、カップホルダ５をカップ１から取り外すには、前記揺動片６ｆを揺動させて挿通ピン１０を挿通孔１１から抜き取るだけで、挿通ピン１０と内側垂片６ａによる周壁３の狭持を解き、前記収容空間６ｄの挿通ピン１０の存在を無くし、該収納空間１０ｄを大空間の状態に戻し、カップホルダ５を上方に上げるだけで、簡単に取り外すことができる。
また、いわゆるディスポーザブルタイプとして特に反復使用しない場合には、挿通ピン１０を挿通孔１１から引き抜いて、カップホルダ５をカップ１から取り外す必要もないので、有効な弾性のある樹脂を特に材料として選択する必要はなく、その場合でも材料として用いられる樹脂一般が備える柔軟性が寄与して使用前のカップ１へのカップホルダ５の取り付けは容易に行うことができる。
【００１５】
このような本実施の形態のカップホルダ５によれば、カップ１のフランジ部４は揺動片６ｆに設けられて前記挿通孔１１を貫通して前記フランジ部４を係止する挿通ピン１０で前記収納空間６ｄにおいて係合状態にされ、カップ１の周壁３をカップホルダ５の内側垂片６ａと挿通ピン１０で狭持し、かつ、カップ１の外壁３Ｂを外壁接触部７で支えることによりカップホルダをカップに取り付けているので、カップ１の大きさ（カップの直径や高さなど）に関係なくカップホルダ５を強固に取り付けることができ、液体を満たした状態でも安定して保持できる。
【００１６】
カップホルダ５は、フランジ部４を有するカップ１であれば取る付けることができる。このため、カップ１には段差などの特別の形状は必要なく、また、フランジ部４には、本実施の形態のようなカーリング状に形成せれたものだけでなく、ストレート状に形成されたストレートフランジなどの様々な形状のフランジ部４でも対応できる。
従って、カップホルダ５は、フランジ部４を有するあらゆる種類のカップ１に取り付けることができる。
【００１７】
また、この取り付けは、フランジ収納部６の収納空間６ｄにフランジ部４を収納するとともにヒンジ部６ｅを曲げ回して挿通ピン１０を挿通孔１１に貫通させて挿通ピン１０の先端部１０Ａをフランジ部４の下側の外壁３Ｂに当接するだけでよいので、容易に取り付けることができる。
【００１８】
カップ１内に水などの液体等を入れた際には、液体の重量により、外壁接触部７に周壁３が圧接するが、外壁接触部７の把持部８との接続部が支点となって、この支点に近い点に力が加わわることになるので、かなり大きな力が加わっても、カップ１に加わる重量は、フランジ部４の下側の外壁３Ｂに当接する挿通ピン１０がより強く外壁３Ｂに当接するように作用するから、挿通ピン１０による係止はより強化され、フランジ部４からカップホルダ５が外れることはない。その状態で、例えば、人差し指及び中指の指２本を把持部８内に挿入して、人差し指及び中指の指２本を把持部８に巻回するとともに親指を把持部８の背側に当てて保持することができ、その場合、かかる把持部８は外側垂片６ｂが存在する結果としてフランジ部４よりも下方に位置するため、カップ１内の水等の液体を摂取する動作は極めて自然に、快適に行うことができ、その摂取動作は容易である。
【００１９】
一方、カップホルダ５を取り外すには、ヒンジ部６ｅを開くように揺動片６ｆを揺動させて挿通ピン１０を挿通孔１１から引き抜いて、カップホルダ５のフランジ収納部６の収容空間６ｄからカップ１のフランジ部４を取り外せばよい。
カップホルダ５は取り付け及び取り外しが容易であるので、繰り返し使用することができ、大きさも小さなものであるので、持ち運びに便利で、かつ、保管スペースも少なくできる。
【００２０】
また、前記実施の形態では、内側垂片６ａ、連結片６ｃ、外側垂片６ｂ、外壁接触片７、把持部８、ヒンジ部６ｅ、揺動片６ｆ、挿通ピン１０を一体に成形しているので、生産が容易で、製造コストを低くできる。
【００２１】
図２（ａ）乃至（ｄ）には、本発明の第二の実施の形態が示されている。ここにおいて、前記第一の実施の形態と同一若しくは相当構成部分には同一符号を付し、説明を省略もしくは簡略化する。
第二の実施の形態のカップホルダ５では、前記挿通ピン１０が支持部１０Ｂとこの支持部１０Ｂに連続する基端部１０Ｃと、この基端部１０Ｃからテーパ部１０Ｄを介して連続して鋭角に形成された先端部１０Ａとを備える。一方、前記挿通孔１１は、外側垂片６ｂの内側方向に向けて徐々に小径となるように、その内側がテーパ面１１Ａとされている。以上において、図２（ｃ）、（ｄ）に示されるように、前記挿通孔１１の出口側開口の口径φ３は前記挿通ピン１０の支持部１０Ｂの外径φ４より大径に設定され、また、前記挿通孔１１の出口側開口の口径３φは前記挿通ピン１０の基端部１０Ｃの外径φ５よりも小径に設定されている。
【００２２】
図２（ｂ）に示されるように、前記内側垂片６ａには前記挿通ピン１０と略対向する位置に凹部６Ｂが形成されている。かかる凹部６Ｂが設けられる位置は、図にも示されるように挿通ピン１０を挿通孔１１に挿通してカップ１にカップホルダ５を取り付けた状態で、前記挿通ピン１０の鋭角に形成された先端部１０Ａが凹部６Ｂ内に収納される位置とされ、凹部６Ｂは前記先端部１０Ａを収納してそのセンタリングが容易となるように、内側に先端部１０Ａのテーパ面に倣うテーパ面を形成してなる。
【００２３】
この実施の形態のカップホルダ５では、挿通ピン１０を挿通孔１１に挿通してカップ１にカップホルダ５を取り付ける際には、挿通ピン１０の先端部１０Ａからテーパ部１０Ｄ、基端部１０Ｃの順に支障なく挿通ピン１０を挿通孔１１に挿通することができる。更に、特にカップ１が紙製である場合には、図２（ｂ）に示されるように、挿通ピン１０の鋭角に形成された先端部１０Ａがカップ１のフランジ部４下方の周壁３を突き破る態様で凹部６Ｂ内に収納され、単にカップ１のフランジ部４下方の外壁３Ｂに当接する場合に比べ、より確実にカップ１の保持が行われる。
【００２４】
一方、挿通ピン１０の全体を挿通孔１１に挿通して、カップ１にカップホルダ５を取り付け、更に、挿通ピン１０の鋭角に形成された先端部１０Ａがカップ１のフランジ部４下方の周壁３を突き破る態様で挿通孔１１内に収納された後は、挿通ピン１０の基端部１０Ｃが挿通孔１１の出口側開口の周縁部に干渉し、カップホルダ５が不意に脱落することが防止される。特に、挿通孔１１はその内側がテーパ面１１Ａとされる結果、そのテーパ面１１Ａによって形成される挿通孔１１の内側面と挿通ピン１０の支持部１０Ｂの外側面の間隙が支持部１０Ｂの揺れを許容する遊びとして機能し、基端部１０Ｃが挿通孔１１の出口側開口の周縁部に干渉する領域は、（挿通孔１１の出口側開口の口径φ３−基端部１０Ｃの外径φ５）／２より大なる（基端部１０Ｃの外径φ５−支持部１０Ｂの外径φ４）／２となり、この機能によってもカップホルダによるカップの保持はより確実となる。
【００２５】
また、この場合にカップホルダ５を形成する機能を弾性にあるものとする場合には、使用前のカップ１へのカップホルダ５の取り付けはより容易に行うことができる。逆に、ポリスチレンのように硬質の樹脂を用いる場合には挿通ピン１０の基端部１０Ｃが挿通孔１１の出口側開口を挿通したことを認識できる撥音、いわゆる「カッチと音」を得ることができ、便利で快適な使用感を生じさせることができる。
【００２６】
尚、本発明は、前記各実施の形態の構成に限定されるものではなく、本発明の目的を達成できる範囲の変形は本発明の含まれるものである。
例えば、前記実施の形態では、挿通孔１０を外側垂片６ｂに設けるとともに、挿通ピンを連結片６ｃにヒンジ部６ｅを介して連結される揺動片６ｆに設けるようにしたが、挿通孔を外側垂片に設けるとともに、挿通ピンを内側垂片に設け、この挿通ピンを、カップの内壁側から周壁を突き破り、外側垂片に設けた挿通孔に挿通させることで、これら内側垂片と外側垂片とを連結する連結部の下方に形成される収納空間にカップのフランジ部を係合状態に保持するようにしてもよい。
また、把持部８の形状は、前記各実施の形態では、円弧状に膨らんだものであったが、これに限定されるものではなく、例えば、カップ１の外壁３Ｂに沿った直線状に形成されたものでよい。但し、前記各実施の形態の把持部８の形状であれば２本の指によって容易に把持部８を把持してカップ１の保持を行うことができる。
フランジ収容部６、外壁接触部７、把持部８、挿通ピン１０、挿通孔１１等の形状も前記各実施の形態に限定されるものではなく、他の形状でもよい。例えば、高さの高いカップ１に合わせた、カップ１の上下方向に長い形状に形成したり、趣味に応じた様々な形状などにしてもよい。また、外壁接触部７と、前記把持部８とは、それ直接にフランジ収容部６に連結されるか、何れか一方がフランジ収容部６に直接連結され、他方がこの直接連結された一方に連結されるものであってもよい。
また、カップホルダ５の肉厚は、材質、形状などに応じて設定すればよい。
【００２７】
【発明の効果】
前述の発明によれば、カップホルダをあらゆる大きさのカップに容易に取る付け、取り外しができるとともに、カップに液体を満たしても安定して保持できる。
【図面の簡単な説明】
【図１】（ａ）本発明の一実施の形態のカップホルダを示す部分切り欠き断面図である。（ｂ）同じく本発明の一実施の形態のカップホルダを示す部分切り欠き断面図である。
【図２】（ａ）本発明の第二の実施の形態のカップホルダを示す断面図である。（ｂ）図２（ａ）のＩＩｂ部分の拡大断面図である。（ｃ）第二の実施の形態のカップホルダの細部の構成を示す説明図である。（ｄ）第二の実施の形態のカップホルダの細部の構成を示す他の説明図である。
【図３】（ａ）従来のカップホルダをカップに装着した状態を示す正面図である。（ｂ）同じく従来のカップホルダを示す正面図である。
【符号の説明】
１　カップ
２　底
３　周壁
３Ａ内壁
３Ｂ外壁
４　フランジ部
５　カップホルダ
６　フランジ収容部
６ａ内側垂片
６ｂ外側垂片
６ｃ連結片（連結部）
６ｄ収容空間
６ｅヒンジ部
６ｆ揺動片
６Ａ係止部
６Ｂ凹部
７　外壁当接部
８　把持部
１０　挿通ピン
１０Ａ先端部
１０Ｂ支持部
１０Ｃ基端部
１１　挿通孔
１１Ａテーパ面
φ１　挿通孔の内径
φ２　挿通ピンの外径
φ３　挿通孔の出口側開口の口径
φ４　挿通ピンの支持部の外径
φ５　挿通ピンの基端部の外径
【図１】
2004121339.tif 000003
【図２】
2004121339.tif 000004
【図３】
2004121339.tif 000005